【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
プロセス制御システムのソフトウェア更新またはアップグレードに関する文書をカスタマイズする方法であって、
プロセス制御システムの更新またはアップグレードの少なくとも一つに関する総合リリースノートをコンパイルし、
編成（タグ付け）済みノートを作成するためにリリースノートを総合プロセス制御システムと相互に関連付けるよう総合リリースノートを編成（タグ付け）し、
前記編成（タグ付け）済みノートをフィルタし特定のプロセス制御システムに関してカスタマイズされたノートを作成するために特定のプロセス制御システムに関する構成情報を前記編成（タグ付け）済みノートと照合し、
特定のプロセス制御システムの更新またはアップグレードの少なくとも一つにより及ぼされる可能性のある影響に関してユーザに警報を出すために、前記カスタマイズされたノートを、更新またはアップグレードの少なくとも一つと共に、特定のプロセス制御システムのユーザに提供すること、
を含む方法。
【請求項２】
前記編成（タグ付け）済みノートを作成するために、知識ベース記事をコンパイルし、前記総合リリースノートと知識ベース記事を編成（タグ付け）することをさらに含む請求項１に記載の方法。
【請求項３】
前記構成情報が、ユーザ構成情報、インストール済み第三者アプリケーション情報および現在のソフトウェアバージョン情報からなることを特徴とする、請求項１又は２に記載の方法。
【請求項４】
マニュアル操作によるユーザの絞り込みに基づいて前記カスタマイズされたノートをフィルタすることをさらに含む、請求項１〜３の何れか１項に記載の方法。
【請求項５】
前記編成（タグ付け）済みノートと共にプロセス制御システムの更新またはアップグレードの少なくとも一つを伝送することをさらに含む、請求項１〜４の何れか１項に記載の方法。
【請求項６】
特定のプロセス制御システムにて更新またはアップグレードの少なくとも一つのインストールが始動した際に、前記編成（タグ付け）済みノートをフィルタして特定のプロセス制御システムに関してカスタマイズされたノートを作成するために、特定のプロセス制御システムに関する構成情報を編成（タグ付け）済みノートと照合することをさらに含む、請求項５に記載の方法。
【請求項７】
前記提供することが、特定のプロセス制御システムでの更新またはアップグレードの少なくとも一つのインストールおよびカスタマイズされたノートの閲覧にユーザを導くために、グラフィカルユーザインタフェース・ウィザードを生成することをさらに含む、請求項１〜６の何れか１項に記載の方法。
【請求項８】
特定のプロセス制御システムのソフトウェア更新またはアップグレードに該当する適切な文書を生成するためのカスタマイズされた文書作成装置であって、
編成（タグ付け）済みノートを作成するためにリリースノートを総合プロセス制御システム構成と相互に関連付けるよう、プロセス制御システムの更新またはアップグレードの少なくとも一つに関して総合リリースノートを編成（タグ付け）するノート編成（タグ付け）モジュールと、
デフォルト・フィルタ設定を提供するために特定のプロセス制御システムに関する構成情報を決定するアップグレード査定モジュールと、
編成（タグ付け）済みノートをフィルタし、特定のプロセス制御システムに関するカスタム・リリースノートを作成するために特定のプロセス制御システムのデフォルト・フィルタ設定を編成（タグ付け）済みノートに適用する関心項目フィルタと、を備え、
前記関心項目フィルタが、特定のプロセス制御システムの更新またはアップグレードの少なくとも一つにより及ぼされる可能性のある影響についてユーザに警報するために、特定のプロセス制御システムのユーザに対して、更新またはアップグレードの少なくとも一つと共に前記カスタム・リリースノートを提供することを特徴とする、カスタマイズ化文書作成装置。
【請求項９】
前記ノート編成（タグ付け）モジュールが、編成（タグ付け）済みノートを作成するために前記総合リリースノートと一以上の知識ベース記事を編成（タグ付け）することを特徴とする、請求項８に記載の装置。
【請求項１０】
前記構成情報がユーザ構成情報、インストール済み第三者アプリケーション情報および現在のソフトウェアバージョン情報からなることを特徴とする、請求項８又は９に記載の装置。
【請求項１１】
前記特定のプロセス制御システムに対してユーザにより提供されたカスタム・フィルタ設定をさらに含み、
前記関心項目フィルタが、前記特定のプロセス制御システムに関してカスタム・リリースノートを作成するためにデフォルト・フィルタ設定と共に編成（タグ付け）済みノートに前記カスタム・フィルタ設定を適用することを特徴とする、請求項８〜１０の何れか１項に記載の装置。
【請求項１２】
前記関心項目フィルタが、前記カスタム・フィルタ設定に基づいて前記デフォルト・フィルタ設定を修正変更し、特定のプロセス制御システムに関してカスタム・リリースノートを作成するために前記編成（タグ付け）済みノートをフィルタすることを特徴とする、請求項１１に記載の装置。
【請求項１３】
前記ノート編成（タグ付け）モジュールが、前記編成（タグ付け）済みノートと一緒に特定のプロセス制御システムのユーザに対してプロセス制御システムに関する更新またはアップグレードの少なくとも一つを送信することを特徴とする、請求項８〜１２の何れか１項に記載の装置。
【請求項１４】
前記関心項目フィルタが、特定のプロセス制御システムで更新またはアップグレードの少なくとも一つのインストールの始動に際して特定のプロセス制御システム用にカスタマイズされたノートを作成するために、前記特定のプロセス制御システムに関するデフォルト・フィルタ設定に基づいて編成（タグ付け）済みノートをフィルタすることを特徴とする、請求項１３に記載の装置。
【請求項１５】
前記特定のプロセス制御システムでの更新またはアップグレードの少なくとも一つのインストールおよびカスタマイズされたノートの閲覧へユーザを導くグラフィカルユーザインタフェース手段をさらに含む、請求項８〜１３の何れか１項に記載の装置。
【請求項１６】
プロセス制御システムソフトウェア更新またはプロセス制御システムソフトウェア・アップグレードの少なくとも一つに関係するマスター・リリースノートおよび知識ベース記事を収集し、特定のプロセス制御システム実施に向けてマスター・リリースノートおよび知識ベース記事をカスタム・リリースノートに変換し、ユーザの閲覧のために前記カスタム・リリースノートを提供するグラフィカルユーザインタフェース手段であって、
編成（タグ付け）済みノートを作成するためにマスター・リリースノートを総合プロセス制御システム構成と相互に関連付けるよう、プロセス制御システムソフトウェア更新またはプロセス制御システムソフトウェア・アップグレードの少なくとも一つに関係するマスター・リリースノートおよび知識ベース記事を編成（タグ付け）するノート編成（タグ付け）モジュールと、
デフォルト・フィルタ設定を提供するために特定のプロセス制御システム実装のための構成情報を決定するアップグレード査定モジュールと、
前記編成（タグ付け）済みノートをフィルタし特定のプロセス制御システムに関してカスタム・リリースノートを作成するために、特定のプロセス制御システム実装に関するデフォルト・フィルタ設定を編成（タグ付け）済みノートに適用する関心項目フィルタと、を含み、
前記関心項目フィルタが、特定のプロセス制御システムでのプロセス制御システムソフトウェア更新またはプロセス制御システムソフトウェア・アップグレードの少なくとも一つにより及ぼされる可能性のある影響に関してユーザに警報を出すために、プロセス制御システムソフトウェア更新またはプロセス制御システムソフトウェア・アップグレードの少なくとも一つと共に特定のプロセス制御システムのユーザに対してカスタム・リリースノートを提供することを特徴とする、
グラフィカルユーザインタフェース手段。
【請求項１７】
前記構成情報が、ユーザ構成情報、インストール済み第三者アプリケーション情報および現在のソフトウェアバージョン情報からなる、請求項１６に記載のグラフィカルユーザインタフェース手段。
【請求項１８】
特定のプロセス制御システムに関してユーザにより提供されたカスタム・フィルタ設定をさらに含み、
前記関心項目フィルタが、特定のプロセス制御システム実装に向けてカスタム・リリースノートを作成するために前記デフォルト・フィルタ設定と共に編成（タグ付け）済みノートに前記カスタム・フィルタ設定を適用することを特徴とする、請求項１６に記載のグラフィカルユーザインタフェース手段。